(57)【要約】【課題】布基礎の不同沈下を低コストで抑制できる建物の基礎構造を提供する。【解決手段】布基礎１，２が交わるコーナ部３に、一方の布基礎１の長さ方向に延出する延出部５が形成され、延出部５およびコーナ部３の下方の地盤に、これら延出部５およびコーナ部３を支持する杭状地盤補強体１０，１１が設けられているので、不同沈下を抑制でき、また、地盤全体を地盤改良する場合に比して低コストとなる。【選択図】図１
2010281120.tif 000002
【特許請求の範囲】
【請求項１】
一方の布基礎と他方の布基礎とが平面視において直角に交わるコーナ部を有する建物の基礎構造において、
前記コーナ部の下方の地盤に、杭状地盤補強体が設けられており、
前記コーナ部は前記杭状地盤補強体によって支持されていることを特徴とする建物の基礎構造。
【請求項２】
一方の布基礎と他方の布基礎とが平面視において直角に交わるコーナ部を有する建物の基礎構造において、
平面視において前記一方の布基礎が前記他方の布基礎より短くなっており、
前記コーナ部に、前記一方の布基礎の長さ方向に延出する延出部が形成されており、
この延出部の下方の地盤に、杭状地盤補強体が設けられており、
前記延出部は前記杭状地盤補強体によって支持されていることを特徴とする建物の基礎構造。
【請求項３】
請求項２に記載の建物の基礎構造において、
前記コーナ部の下方の地盤にも、該コーナ部を支持する杭状地盤補強体が設けられており、
前記延出部の下方にある杭状地盤補強体と、前記コーナ部の下方にある杭状地盤補強体とが、前記他方の布基礎の平面視における中心線に対して対称的に配置され、かつ互いに接していることを特徴とする建物の基礎構造。
【請求項４】
請求項２または３に記載の建物の基礎構造において、
前記延出部は、前記一方の布基礎と同幅に形成され、かつ、前記一方の布基礎より低く形成されていることを特徴とする建物の基礎構造。
【請求項５】
請求項１〜４のいずれか一項に記載の建物の基礎構造において、
前記杭状地盤補強体は平面視円形状に形成されており、
前記杭状地盤補強体は、その中心が前記一方の布基礎の平面視における中心線上に位置するようにして、配置されていることを特徴とする建物の基礎構造。
【発明の詳細な説明】
【技術分野】
【０００１】
本発明は、建物の基礎構造に関する。
【背景技術】
【０００２】
住宅等の建物の基礎は、建物の外周や壁に沿って形成された布基礎により構成されている場合が多い。
この布基礎を備えた基礎構造の一例として特許文献１に記載のものが知られている。この建物の基礎構造では、フーチング部およびこのフーチング部から立ち上がる立上部を有する断面逆Ｔ字型の布基礎が、平面視において建物の外周に沿って矩形状に配置されている。
【先行技術文献】
【特許文献】
【０００３】
【特許文献１】特開平１０−２１９７０７号公報
【発明の概要】
【発明が解決しようとする課題】
【０００４】
ところで、建物が地震等によって外部から水平力を受けた場合、特に地盤が軟弱であると、平面視矩形状に配置された布基礎からなる基礎は、その短辺方向において傾き易くなって不同沈下を生じるおそれがある。このため、地盤全体を地盤改良して不同沈下を抑制することも考えられるが、地盤全体を地盤改良するには、コストが多大となってしまう。
【０００５】
本発明は上記事情に鑑みてなされたもので、布基礎の不同沈下を低コストで抑制できる建物の基礎構造を提供することを課題としている。
【課題を解決するための手段】
【０００６】
上記課題を解決するために、請求項１に記載の発明は、例えば図４に示すように、一方の布基礎１と他方の布基礎２とが平面視において直角に交わるコーナ部３を有する建物の基礎構造において、
前記コーナ部３の下方の地盤に、杭状地盤補強体２０が設けられており、
前記コーナ部３は前記杭状地盤補強体２０によって支持されていることを特徴とする。
【０００７】
請求項１に記載の発明によれば、一方の布基礎１と他方の布基礎２とが平面視において直角に交わるコーナ部３の下方の地盤に、杭状地盤補強体２０が設けられており、この杭状地盤補強体２０によって前記コーナ部３が支持されているので、例えば平面視矩形状に配置された布基礎１，２の短辺方向および長辺方向の端部を杭状地盤補強体２０によって支持できる。
したがって、平面視矩形状に配置された布基礎１，２は、その短辺方向および長辺方向の双方において傾き難くなり、この結果不同沈下を抑制できる。
また、前記コーナ部３の下方の地盤に、杭状地盤補強体２０が設けられているので、地盤全体を地盤改良する場合に比して低コストとなる。
【０００８】
請求項２に記載の発明は、例えば図１〜図３に示すように、一方の布基礎１と他方の布基礎２とが平面視において直角に交わるコーナ部３を有する建物の基礎構造において、
平面視において前記一方の布基礎１が前記他方の布基礎２より短くなっており、
前記コーナ部３に、前記一方の布基礎１の長さ方向に延出する延出部５が形成されており、
この延出部５の下方の地盤に、杭状地盤補強体１０が設けられており、
前記延出部５は前記杭状地盤補強体１０によって支持されていることを特徴とする。
【０００９】
請求項２に記載の発明によれば、前記コーナ部３に、前記一方の布基礎１の長さ方向に延出する延出部５が形成されており、この延出部５の下方の地盤に設けられた杭状地盤補強体１０によって、前記延出部５が支持されているので、例えば平面視矩形状に配置された布基礎１，２の短辺方向の端部より外側に延出する延出部５を杭状地盤補強体１０によって支持できる。
したがって、平面視矩形状に配置された布基礎１，２は、その短辺方向において傾き難くなり、この結果不同沈下を抑制できる。
また、コーナ部３に延出部５が形成されるとともに、この延出部５の下方の地盤に、杭状地盤補強体１０が設けられているので、地盤全体を地盤改良する場合に比して低コストとなる。
【００１０】
請求項３に記載の発明は、請求項２に記載の建物の基礎構造において、
前記コーナ部３の下方の地盤にも、該コーナ部３を支持する杭状地盤補強体１１が設けられており、
前記延出部５の下方にある杭状地盤補強体１０と、前記コーナ部３の下方にある杭状地盤補強体１１とが、前記他方の布基礎２の平面視における中心線に対して対称的に配置され、かつ互いに接していることを特徴とする。
【００１１】
請求項３に記載の発明によれば、延出部５とコーナ部３との双方の下方の地盤に、これらを支持する杭状地盤補強体１０，１１が設けられているので、平面視矩形状に配置された布基礎１，２は、その短辺方向および長辺方向の双方において傾き難くなり、この結果不同沈下を抑制できる。
また、延出部５の下方にある杭状地盤補強体１０と前記コーナ部３の下方にある杭状地盤補強体１１とが、他方の布基礎２の平面視における中心線に対して対称的に配置され、かつ互いに接しているので、コーナ部３および延出部５を安定的に支持できる。
【００１２】
請求項４に記載の発明は、請求項２または３に記載の建物の基礎構造において、
前記延出部５は、前記一方の布基礎１と同幅に形成され、かつ、前記一方の布基礎１より低く形成されていることを特徴とする。
【００１３】
請求項４に記載の発明によれば、延出部５が、一方の布基礎１と同幅に形成されているので、延出部５の下方の地盤にある杭状地盤補強体１０からの反力を確実に受けることができる。
また、延出部５が一方の布基礎１より低く形成されているので、この延出部５の全体を地盤中に埋設できる。よって、延出部５が地盤上に露出することがないので、建物の美観を損なうことがない。
【００１４】
請求項５に記載の発明は、図１および図４に示すように、請求項１〜４のいずれか一項に記載の建物の基礎構造において、
前記杭状地盤補強体１０，１１，２０は平面視円形状に形成されており、
前記杭状地盤補強体１０，１１，２０は、その中心が前記一方の布基礎１の平面視における中心線上に位置するようにして、配置されていることを特徴とする。
【００１５】
請求項５に記載の発明によれば、杭状地盤補強体１０，１１，２０が、その中心が一方の布基礎１の平面視における中心線上に位置するようにして、配置されているので、布基礎１上の建物の荷重を布基礎１を介して杭状地盤補強体１０，１１，２０によってバランスよく支持できる。
【発明の効果】
【００１６】
本発明によれば、一方の布基礎と他方の布基礎とが平面視において直角に交わるコーナ部の下方にある杭状地盤補強体や延出部の下方にある杭状地盤補強体によって、コーナ部や延出部が支持されているので、平面視矩形状の布基礎は、その短辺方向や長辺方向において傾き難くなり、この結果不同沈下を抑制できる。
また、一方の布基礎と他方の布基礎とが平面視において直角に交わるコーナ部の下方の地盤や延出部の下方の地盤に、杭状地盤補強体が設けられているので、地盤全体を地盤改良する場合に比して低コストとなる。
【図面の簡単な説明】
【００１７】
【図１】本発明に係る建物の基礎構造の一例を示すもので、その要部を示す平面図である。
【図２】同、図１におけるＡ−Ａ線断面図である。
【図３】同、基礎構造のコーナ部を示す斜視図である。
【図４】本発明に係る建物の基礎構造の他の例を示すもので、その要部を示す平面図である。
【発明を実施するための形態】
【００１８】
以下、図面を参照して本発明に係る建物の基礎構造の一例について説明する。
（第１の実施の形態）
図１は、建物の基礎構造の要部を示す平面図、図２は図１におけるＡ−Ａ線断面図、図３は基礎構造のコーナ部を示す斜視図である。
【００１９】
本実施の形態の建物の基礎構造（以下、基礎構造と略称する。）は、平面視略矩形状に形成されているが、図１ではその長辺方向の端部付近を示している。
前記基礎構造は、一方の布基礎１と他方の布基礎２とが直角に交わるコーナ部３を有している。一方の布基礎１は、平面視矩形状の基礎構造の短辺部を構成し、他方の布基礎２は基礎構造の長辺部を構成している。つまり、平面視において一方の布基礎１が他方の布基礎２より短くなっている。
【００２０】
図１〜図３に示すように、前記布基礎１は、フーチング部１ａとこのフーチング部１ａから立ち上がる立上部１ｂとを有する断面逆Ｔ字型に形成されている。立上部１ｂの長手方向中間部には、拡幅部１ｃ，１ｃが離間して形成されている。この拡幅部１ｃに、建物を構成する柱（本実施の形態では、直方体状の建物ユニットの柱部）が設置されるようになっている。
また、前記布基礎２も、布基礎１と同様に、フーチング部２ａとこのフーチング部２ａから立ち上がる立上部２ｂとを有する断面逆Ｔ字型に形成されている。
布基礎１と布基礎２とでは、それらのフーチング部１ａ，２ａの厚さが等しくなっており、フーチング部１ａの幅はフーチング部２ａの幅より広くなっており、また、立上部１ｂと立上部２ｂとはそれらの高さと厚さが等しくなっている。
【００２１】
前記コーナ部３には、一方の布基礎１の長さ方向に延出する延出部５が形成されている。この延出部５は、断面逆Ｔ字型に形成されたものであり、フーチング部５ａとこのフーチング部５ａの上面に突出して形成された突出部５ｂとから構成されている。
延出部５は、前記布基礎１と同幅に形成されている。すなわち、延出部５のフーチング部５ａの幅は、布基礎１のフーチング部１ａの幅と等しくなっている。また、フーチング部５ａの厚さはフーチング部１ａの厚さと等しくなっている。
また、延出部５は布基礎１より低くなっている。つまり、延出部５の突出部５ｂは、その高さが前記布基礎１の立上部１ｂより低くなっている。また、突出部５ｂの左右の幅は布基礎１の立上部１ｂの左右の幅と等しくなっている。
また、延出部５は、地盤面Ｇの下方に位置している。つまり、地盤中に埋設されている。なお、延出部５は、布基礎１を形成する際に同時に形成される。
また、コーナ部３において、布基礎１，２の立上部１ｂ，２ｂが直角に交わっており、この交差部に、建物を構成する柱（本実施の形態では、直方体状の建物ユニットの柱部）が設置されるようになっている。
【００２２】
また、前記基礎構造の長手方向中間部には、布基礎６が前記布基礎１と平行に配置されており、この布基礎６の端部は、布基礎２に直角に接合されている。布基礎６はフーチング部６ａとこのフーチング部６ａから立ち上がる立上部６ｂとを有する断面逆Ｔ字型に形成されており、断面形状は布基礎１と等しくなっている。
また、立上部６ｂの長手方向中間部には、拡幅部６ｃ，６ｃが離間して形成されている。この拡幅部６ｃに、建物を構成する柱（本実施の形態では、直方体状の建物ユニットの柱部）が設置されるようになっている。
また、立上部６ｂと立上部２ｂとの交差部にも、建物を構成する柱（本実施の形態では、直方体状の建物ユニットの柱部）が設置されるようになっている。
【００２３】
また、前記布基礎１，６の間には、束基礎７，７が布基礎１（６）の長さ方向に離間して配置されている。束基礎７は基部７ａとこの基部７ａから立ち上がる束部７ｂとから構成されている。
【００２４】
前記延出部５の下方の地盤には、杭状地盤補強体１０が設けられており、延出部５は杭状地盤補強体１０によって支持されている。
杭状地盤補強体１０は、円柱状に形成されており、コンクリート杭や鋼管杭等によって構成されている。杭状地盤補強体１０をコンクリート杭で構成する場合、工場などで作られたＰＣ杭などを回転圧入やハンマーで打ち込む既製コンクリート杭と、予め掘削したボーリング孔にコンクリートを流し込む場所打ちコンクリート杭とのいずれでもよい。
杭状地盤補強体１０の直径は、布基礎１の立上部１ｂの厚さより大きく、かつ、フーチング１ａの左右幅より小さくなっている。
また、杭状地盤補強体１０の平面視における中心は、突出部５ｂの左右厚さの中心線上（布基礎１の平面視における中心線上）に位置している。
そして、このような杭状地盤補強体１０の上端面に前記延出部５が設置され、延出部５は杭状地盤補強体１０によって下方から支持されている。
【００２５】
また、前記コーナ部３の下方の地盤にも、前記杭状地盤補強体１０と形状、大きさ、材質等が等しい杭状地盤補強体１１が設けられており、コーナ部３は杭状地盤補強体１１によって下方から支持されている。
前記延出部５の下方にある杭状地盤補強体１０と、コーナ部３の下方にある杭状地盤補強体１１とは、他方の布基礎２の平面視における中心線（布基礎２の幅方向の中心線）に対して対称的に配置され、かつ互いに接している。
また、杭状地盤補強体１１の平面視における中心は、立上部１ｂの左右厚さの中心線上（布基礎１の平面視における中心線上）に位置している。
このようにして配置された杭状地盤補強体１０，１１の平面視における中心点を結ぶ線分の中心点は、布基礎１，２の平面視における中心線の交点と一致する。
そして、このような杭状地盤補強体１１の上端面に前記コーナ部３が設置され、コーナ部３は杭状地盤補強体１１によって下方から支持され、また、延出部５は上述したように、杭状地盤補強体１０によって下方から支持されている。
【００２６】
また、布基礎１の拡幅部１ｃの下方の地盤には、杭状地盤補強体１０と形状、大きさ、材質等が等しい杭状地盤補強体１２，１２が設けられており、布基礎１の拡幅部１ｃを有する部位が杭状地盤補強体１２，１２によって支持されている。
杭状地盤補強体１２，１２の平面視における中心は、立上部１ｂの左右厚さの中心線上（布基礎１の平面視における中心線上）に位置している。また、杭状地盤補強体１２，１２は互いに当接しており、この当接部は拡幅部１ｃの長さ方向の中央部に位置している。
そして、このような杭状地盤補強体１２，１２の上端面に布基礎１の拡幅部１ｃ，１ｃを有する部位が設置され、この部位は杭状地盤補強体１２，１２によって下方から支持されている。
【００２７】
また、布基礎２の中間部の下方の地盤には、杭状地盤補強体１０と形状、大きさ、材質等が等しい杭状地盤補強体１３，１４，１４が設けられている。杭状地盤補強体１４，１４は前記布基礎６との交差部における布基礎２の下方に設けられている。
杭状地盤補強体１３，１４，１４の平面視のおける中心は、布基礎２の平面視における中心線（布基礎２の幅方向の中心線）上に位置しており、また、杭状地盤補強体１４，１４は、布基礎６の平面視における中心線（布基礎６の幅方向の中心線）に対して対称的に配置され、かつ互いに接している。
そして、このような杭状地盤補強体１３，１４，１４の上端面に布基礎２の中間部と、布基礎２と布基礎６の交差部が設置され、これら中間部と交差部は杭状地盤補強体１３，１４，１４によって下方から支持されている。
【００２８】
さらに、布基礎６の拡幅部６ｃの下方の地盤には、杭状地盤補強体１０と形状、大きさ、材質等が等しい杭状地盤補強体１５，１５が設けられており、布基礎６の拡幅部６ｃを有する部位が杭状地盤補強体１５，１５によって支持されている。
杭状地盤補強体１５，１５の平面視における中心は、立上部６ｂの左右厚さの中心線上（布基礎６の幅方向の中心線上）に位置している。また、杭状地盤補強体１５，１５は互いに当接しており、この当接部は拡幅部６ｃの長さ方向の中央部に位置している。
そして、このような杭状地盤補強体１５，１５の上端面に布基礎６の拡幅部６ｃ，６ｃを有する部位が設置され、この部位は杭状地盤補強体１５，１５によって下方から支持されている。
【００２９】
また、束基礎７の下方の地盤には、杭状地盤補強体１０と形状、大きさ、材質等が等しい杭状地盤補強体１６が設けられており、この束基礎７が杭状地盤補強体１６によって支持されている。
【００３０】
本実施の形態によれば、基礎構造のコーナ部３に、一方の布基礎１の長さ方向に延出する延出部５が形成されており、この延出部５の下方の地盤に設けられた杭状地盤補強体１０によって、延出部５が支持されているので、平面視矩形状に配置された布基礎の短辺方向の端部より外側の延出部５を杭状地盤補強体１０によって支持できる。
したがって、平面視矩形状に配置された布基礎１，２は、その短辺方向において傾き難くなり、この結果不同沈下を抑制できる。
また、コーナ部３に延出部５が形成されるとともに、この延出部５の下方の地盤に、杭状地盤補強体１０が設けられているので、地盤全体を地盤改良する場合に比して低コストとなる。
【００３１】
また、延出部５とコーナ部３との双方の下方の地盤に、これらを支持する杭状地盤補強体１０，１１が設けられているので、平面視矩形状に配置された布基礎１，２は、その短辺方向および長辺方向の双方において傾き難くなり、この結果不同沈下を抑制できる。
また、延出部５の下方にある杭状地盤補強体１０と、コーナ部３の下方にある杭状地盤補強体１１とが、他方の布基礎２の平面視における中心線に対して対称的に配置され、かつ互いに接しており、さらに、布基礎１の平面視における中心線上に位置しているので、布基礎１，２の交差点の直下に杭状地盤補強体１０，１１の中心点を結ぶ線分の中心が位置することになり、よって、コーナ部３および延出部５を安定的に支持できる。
【００３２】
さらに、杭状地盤補強体１０，１１，１２が、その中心が一方の布基礎１の平面視における中心線上に位置するようにして、配置されているので、布基礎１上の建物の荷重を布基礎１を介して杭状地盤補強体１０，１１，１２によってバランスよく支持できる。
また、延出部５が、一方の布基礎１と同幅に形成されているので、延出部５の下方の地盤にある杭状地盤補強体１０からの反力を確実に受けることができる。
また、延出部５が一方の布基礎１より低く形成されているので、この延出部５の全体を地盤中に埋設できる。よって、延出部５が地盤上に露出することがないので、建物の美観を損なうことがない。
さらに、布基礎１，２，６がその下方の地盤に設けられた杭状地盤補強体１０〜１５によって支持され、束基礎７がその下方の地盤に設けられた杭状地盤補強体１６によって支持されているので、これら布基礎１，２，６および束基礎７，７を備えた基礎構造を安定的かつ強固に支持できる。
【００３３】
（第２の実施の形態）
図４は本発明の係る建物の基礎構造の第２の実施の形態を示す要部の平面図である。
この図４に示す基礎構造が、前記第１図に示す第１の実施の形態の基礎構造と主に異なる点は、コーナ部における杭状地盤補強体の配置位置と、延出部が第１の実施の形態の延出部５に比して短い点である。なお、第１図に示す基礎構造と同一構成部分には、同一符号を付してその説明を省略ないし簡略化する。
【００３４】
本実施の形態では、一方の布基礎１と他方の布基礎２とが平面視において直角に交わるコーナ部３の下方の地盤に、杭状地盤補強体２０が設けられている。この杭状地盤補強体２０は、前記杭状地盤補強体１０と形状、大きさ、材質等が等しいものであるが、配置位置が前記第１の実施の形態の杭状地盤補強体１０とは異なる。
すなわち、杭状地盤補強体２０は、その平面視における中心を、布基礎１の平面視のおける中心線と布基礎２の平面視における中心線との交差点に合致させて、前記コーナ部３の下方の地盤に設けられている。そして、コーナ部３は杭状地盤補強体２０によって下方から支持されている。
また、コーナ部３には、一方の布基礎１の長さ方向に延出する延出部２５が形成されている。この延出部２５は、断面逆Ｔ字型に形成されたものであり、フーチング部２５ａとこのフーチング部２５ａの上面に突出して形成された突出部２５ｂとから構成され、前記延出部５より延出長さが短くなっている。
そして、この延出部２５の下方の地盤に、前記杭状地盤補強体２０の一部が張出しており、この延出部は杭状地盤補強体２０の一部によって下方から支持されている。
なお、延出部２５の断面形状は、前記延出部５の断面形状と等しくなっている。
【００３５】
また、布基礎６は、図１に示す布基礎６より布基礎１側に寄っており、該布基礎６と布基礎２との交差部には、布基礎６の長さ方向に延出する延出部２６が形成されている。この延出部２６は、断面逆Ｔ字型に形成されたものであり、フーチング部２６ａとこのフーチング部２６ａの上面に突出して形成された突出部２６ｂとから構成され、前記延出部２５と等しい延出長さとなっている。
そして、この延出部２６の下方の地盤に、前記杭状地盤補強体１４，１４の一部が張出しており、この延出部は杭状地盤補強体１４，１４の一部によって支持されている。
なお、延出部２６の断面形状は、前記延出部２５の断面形状と等しくなっている。
【００３６】
本実施の形態によれば、一方の布基礎１と他方の布基礎２とが平面視において直角に交わるコーナ部３の下方の地盤に、杭状地盤補強体２０が設けられており、この杭状地盤補強体２０によって前記コーナ部３が支持されているので、平面視矩形状に配置された布基礎１，２の短辺方向および長辺方向の端部を杭状地盤補強体２０によって支持できる。
したがって、平面視矩形状に配置された布基礎１，２は、その短辺方向および長辺方向の双方において傾き難くなり、この結果不同沈下を抑制できる。
なお、第１の実施の形態と同様の効果も得ることができる。
【符号の説明】
【００３７】
１  一方の布基礎
２  他方の布基礎
３  コーナ部
５，２５  延出部
１０，１１，２０  杭状地盤補強体
【図１】
2010281120.tif 000003
【図２】
2010281120.tif 000004
【図３】
2010281120.tif 000005
【図４】
2010281120.tif 000006